【手続補正書】
【提出日】平成20年3月3日(2008.3.3)
【手続補正１】
【補正対象書類名】特許請求の範囲
【補正対象項目名】全文
【補正方法】変更
【補正の内容】
【特許請求の範囲】
【請求項１】
情報記録媒体において、
前記媒体に適用された所定機能を認識できない記録／再生装置でも、前記媒体へのアクセスを制御できるように設定される共通情報を有するアクセス制御データを記録するためのアクセス制御領域と、
前記アクセス制御領域に、前記アクセス制御データを記録するために設けられる、アクセス制御データブロックの記録状態または欠陥状態に関する状態情報を記録するためのアクセス制御データ状態情報領域とを含むことを特徴とする情報記録媒体。
【請求項２】
前記状態情報は、第１欠陥状態を含み、前記第１欠陥状態は、
前記アクセス制御データブロックに、アクセス制御データの記録中に欠陥として発見されたブロックの状態、有効でないアクセス制御データが記録されたブロックの状態、アップデートされたアクセス制御データは、他のアクセス制御データブロックに記録され、アップデート以前の有効でないアクセス制御データブロックであることを表す状態、媒体の最終化によって、アクセス制御領域の未記録領域を特定データで満たしたブロックの状態のうち、何れか一つを含むことを特徴とする請求項１に記載の情報記録媒体。
【請求項３】
前記状態情報は、第２欠陥状態を含み、前記第２欠陥状態は、
前記アクセス制御データブロックに記録されたアクセス制御データの再生中に欠陥として発見されたが、有効なアクセス制御データが記録されたブロックの状態を表すことを特徴とする請求項１に記載の情報記録媒体。
【請求項４】
前記状態情報は、第３欠陥状態を含み、前記第３欠陥状態は、
前記アクセス制御データブロックにアクセス制御データの記録中に、欠陥として発見されたブロックの状態、有効でないアクセス制御データが記録されたブロックの状態のうち、何れか一つを含むことを特徴とする請求項１に記載の情報記録媒体。
【請求項５】
ディスク定義構造を有する欠陥管理領域を含むリードイン領域をさらに含み、
前記アクセス制御データの状態情報領域は、
前記欠陥管理領域に含まれるディスク管理のためのディスク定義構造を記録するための領域に含まれることを特徴とする請求項１に記載の情報記録媒体。
【請求項６】
前記アクセス制御データの共通情報は、所定の機能に関する識別子、前記媒体のフォーマット可能如何の情報、前記媒体に設けられたスペア領域の記録／再生可能如何の情報、前記媒体に設けられたユーザデータ領域の記録／再生可能如何の情報を含み、前記欠陥管理領域の記録／再生可能如何の情報は含んでいないことを特徴とする請求項５に記載の情報記録媒体。
【請求項７】
記録／再生装置において、
情報記録媒体に適用された所定機能を認識できない記録／再生装置でも、前記媒体へのアクセスを制御できるように設定される共通情報を有するアクセス制御データを記録するためのアクセス制御領域が設けられる前記媒体に／からデータを記録／再生する記録／再生部と、
前記アクセス制御領域に、前記アクセス制御データを記録するために設けられるアクセス制御データブロックの記録状態、または欠陥状態に関する状態情報を、前記媒体に設けられたアクセス制御データの状態情報領域に記録するように、前記記録／再生部を制御する制御部とを含むことを特徴とする記録／再生装置。
【請求項８】
前記媒体が追記型の情報記録媒体である場合に、前記状態情報は、欠陥ブロックであることを表す状態を含み、前記欠陥状態は、
前記アクセス制御データブロックにアクセス制御データの記録中に、欠陥として発見されたブロックの状態、有効でないアクセス制御データが記録されたブロックの状態、アップデートされたアクセス制御データは、他のアクセス制御データブロックに記録され、アップデート以前の有効でないアクセス制御データブロックであることを表す状態、媒体の最終化によって、アクセス制御領域の未記録領域を特定データで満たしたブロックの状態のうち、何れか一つを含むことを特徴とする請求項７に記載の記録／再生装置。
【請求項９】
前記媒体が追記型の情報記録媒体である場合に、前記状態情報は、前記アクセス制御データブロックに記録されたアクセス制御データの再生中に、欠陥として発見されたが、有効なアクセス制御データが記録されたブロックであることを表す状態を含むことを特徴とする請求項７に記載の記録／再生装置。
【請求項１０】
前記制御部は、
前記アクセス制御データ領域に記録されたアクセス制御データのアップデート時、前記あらかじめ記録されたアクセス制御データブロックについての状態を、有効でないアクセス制御データが記録されたブロックであることを表す前記欠陥状態に変えて記録し、前記アップデートされたアクセス制御データを、前記アクセス制御データ領域で、次の使用可能なアクセス制御データブロックに記録するように、前記記録／再生部をさらに制御することを特徴とする請求項８に記載の記録／再生装置。
【請求項１１】
前記媒体が再記録可能な情報記録媒体である場合に、前記状態情報は、欠陥ブロックであることを表す状態を含み、前記欠陥状態は、前記アクセス制御データブロックにアクセス制御データの記録中に、欠陥として発見されたブロック、または有効でないアクセス制御データが記録されたブロックであることを表す状態、前記アクセス制御データブロックに記録されたアクセス制御データの再生中に、欠陥として発見されたが、有効なアクセス制御データが記録されたブロックであることを表す状態を含むことを特徴とする請求項７に記載の記録／再生装置。
【請求項１２】
前記制御部は、
前記アクセス制御データ領域に記録されたアクセス制御データが、それ以上有効でなければ、前記アクセス制御データが記録されたアクセス制御データブロックに、他のアクセス制御データを記録せしめるために、前記アクセス制御データブロックを特定の値で満たし、前記ブロックを使用できるブロックであることを表す状態に変換して記録するように、前記記録／再生部を制御することを特徴とする請求項１１に記載の記録／再生装置。
【請求項１３】
前記制御部は、
アクセス制御領域に、前記アクセス制御データの記録中または記録後検定を通じて欠陥として発見されれば、前記アクセス制御データを、次のアクセス制御データブロックに記録するように、前記記録／再生部を制御することを特徴とする請求項７に記載の記録／再生装置。
【請求項１４】
前記制御部は、
前記各アクセス制御データブロックごとに、前記各アクセス制御データの状態を表すために２ビットを割当て、前記アクセス制御領域にある６４個のアクセス制御データブロックのために、１６バイト（６４＊２ビット＝１２８ビット）を欠陥管理領域のディスク定義構造に割当てることを特徴とする請求項７に記載の記録／再生装置。
【請求項１５】
情報記録媒体に対してデータを転送する記録／再生装置であって、
対応するアクセス制御データブロックに記録されているアクセス制御データを有するアクセス制御領域を有する前記情報記録媒体にデータを書き込む又は前記情報記録媒体からデータを読み取る書き込み／読み取り部であって、前記アクセス制御データは対応している種類の記録／再生装置により認識される、対応する所定機能についての共通情報を有し、前記情報記録媒体の所定機能を認識することができない、対応していない種類の記録／再生装置は前記情報記録媒体へのアクセスを制御するように設定されている、書き込み／読み取り部と、
前記情報記録媒体に備えられているアクセス制御データ状態情報から、前記アクセス制御データブロックの欠陥状態及び記録状態の少なくとも一の間で選択可能であり、該少なくとも一を示す状態情報を読み取るように前記書き込み／読み取り部を制御する制御部とを含むことを特徴とする記録／再生装置。
【手続補正２】
【補正対象書類名】明細書
【補正対象項目名】発明の名称
【補正方法】変更
【補正の内容】
【発明の名称】情報記録媒体及び記録／再生装置